(57)【要約】【課題】セキュリティ性が高く、安価な認証用シール、認証システム、客室施設を提供することにある。【解決手段】認証用シール１０が認証用部材５０に貼付された認証用アイテム１００ａ。認証用シール１０は、樹脂層１４と樹脂層１４の表面１４ａを覆う被覆層１２とを備える。樹脂層１４は、樹脂層１４の表面１４ａから光学的に視認することができる視認可能状態の認証用模様を有する。認証用シール１０は、裏面１４ｂに認証用部材５０の表面５０ａに貼付可能な粘着性を有する。樹脂層１４は、樹脂層１４が認証用部材５０の表面５０ａに貼られた貼付状態から樹脂層１４を認証用部材５０の表面５０ａから剥がした剥離状態にすると、認証用模様を表面１４ａから光学的に視認できない視認不可能状態に変形する粘着性を有することが好ましい。被覆層１２は、被覆層１２の表面１２ａから被覆層１２を介して樹脂層１４の認証用模様を光学的に視認することができる透過性材料で形成されている。認証用模様は、樹脂層１４の自己形成化によって形成されたものである。【選択図】図１
2016186573.tif 000002
【特許請求の範囲】
【請求項１】
認証用部材の表面に設けられる認証用シールであって、
樹脂層と、
前記樹脂層の表面を覆う被覆層と、を備え、
前記樹脂層は、前記樹脂層の表面から光学的に視認することができる視認可能状態の認証用模様を有すると共に、裏面に前記認証用部材の表面に貼付可能な粘着性を有し、
前記被覆層は、前記被覆層の表面から前記被覆層を介して前記認証用模様を光学的に視認することができる透過性材料で形成され、
前記認証用模様は、前記樹脂層の自己形成化によって形成されたものである、認証用シール。
【請求項２】
前記樹脂層は、主成分として樹脂を含む樹脂部分と微粒子からなる粒子部分とを含み、
前記認証用模様は、前記樹脂層の前記表面に形成された複数の認証用溝で構成されている、請求項１に記載の認証用シール。
【請求項３】
前記樹脂層の表面から見た場合において、前記複数の認証用溝のうち、９５％以上の数の認証用溝が互いに異なる形状を有し、
前記樹脂層の前記表面上の任意の一辺１ｍｍの正方形で囲まれた領域内に、前記複数の認証用溝のうち１つ以上の認証用溝の一部が存在する、請求項２に記載の認証用シール。
【請求項４】
前記樹脂層は、前記樹脂層が前記認証用部材の表面に貼られた貼付状態から前記樹脂層を前記認証用部材の表面から剥がした剥離状態にすると、前記認証用模様を表面から光学的に視認できない視認不可能状態に変形する、請求項１から３のいずれかに記載の認証用シール。
【請求項５】
請求項１から４のいずれかに記載の認証用シールを用いた認証用アイテムであって、
前記認証用シールが前記認証用部材に貼付された、認証用アイテム。
【請求項６】
前記認証用部材は、使い捨て用の部材、又は、利用者の所有物である、請求項５に記載された認証用アイテム。
【請求項７】
請求項５又は６に記載の認証用アイテムを用いた認証システムであって、
利用者が前記認証用アイテムを利用できるように、前記利用者に利用させる認証用シールの認証用模様データと、前記利用者のデータとを入力する利用者情報入力手段と、
前記認証用模様データとこれに対応する前記利用者のデータとを関連付けた利用者認証情報を、すでに記憶された複数の利用者認証情報と峻別可能に追加記憶する記憶手段と、
利用者が提示した認証用アイテムの認証用シールの認証用模様を光学的に撮影し、撮影された認証用模様を認証用模様データとして認識する１以上の利用者提示模様認識手段と、
前記利用者提示模様認識手段によって認識された認証用模様データに基づいて、前記複数の利用者認証情報から特定利用者認証情報を抽出する認証情報抽出手段と、
前記特定利用者認証情報を出力する認証情報出力手段と、を備えた、認証システム。
【請求項８】
前記利用者情報入力手段は、未利用の認証用アイテムの認証用シールの認証用模様を光学的に撮影し、撮影された認証用模様を前記認証用模様データとして認識する、請求項７に記載の認証システム。
【請求項９】
前記利用者提示模様認識手段は、前記利用者提示模様認識手段が前記樹脂層の表面のうち予め設定した所定位置及び所定の大きさの認識領域を撮影できるように、前記認証用アイテムを所定の位置に合わせる位置合わせガイド機能を有する、請求項７又は８に記載の認証システム。
【請求項１０】
前記認証情報抽出手段は、前記複数の利用者認証情報の認証用模様データのうち、前記利用者提示模様認識手段によって認識された認証用模様データに所定の一致度である認証用模様データを抽出する、請求項７から９のいずれかに記載の認証システム。
【請求項１１】
前記利用者情報入力手段は、利用できなくする特定の認証用アイテムに対応する特定の利用者のデータを入力し、
当該認証システムは、前記利用者情報入力手段により入力された特定の利用者のデータに関連付けられた認証用模様データを前記記憶手段から削除したり利用不可にしたりする情報処理手段を備える、請求項７から１０のいずれかに記載の認証システム。
【請求項１２】
前記利用者情報入力手段は、利用できなくする特定の認証用アイテムに対応する特定の認証用模様データを入力し、
当該認証システムは、入力された特定の認証用模様データに関連付けられた特定の利用者のデータを前記特定の認証用模様データと共に前記記憶手段から削除したり利用不可にしたりする模様データ処理手段を備える、請求項７から１１のいずれかに記載の認証システム。
【請求項１３】
請求項７から１２のいずれかに記載の認証システムを用いた、複数の客室を有する客室施設。
【発明の詳細な説明】
【技術分野】
【０００１】
本発明は、認証用シール、認証システム、客室施設に関する。
【背景技術】
【０００２】
ホテルの部屋の入室管理等に採用されている認証システムとしては、例えば、バイオメトリクスを利用したセキュリティシステム（特許文献１参照）や、ＩＣカードを利用したセキュリティシステム（特許文献２参照）が用いられる。
【０００３】
しかし、特許文献１に記載の技術では、利用者のバイオメトリクスという個人固有であり変更不可能な情報は、ホテルの管理下に置かれることになり、利用者は、ホテルにおける個人情報の扱いに対する不安を払拭しきれないという問題がある。
特許文献２に記載の技術では、ホテルは利用者にＩＣカードを貸与しなければならないので、ＩＣカードの貸与管理のコストが発生したり、貸与したＩＣカードの紛失、破損による新規ＩＣカードの補充コストが発生したりする。また、利用者もホテルがＩＣカードを使い回すので、ＩＣカードから読み出されたＩＤ等から、以前の利用者の個人情報が流出するかもしれないという利用者の不安がある。
【先行技術文献】
【特許文献】
【０００４】
【特許文献１】特開２００７−１６９９２３号公報
【特許文献２】特開２００８−１３３６１６号公報
【発明の概要】
【発明が解決しようとする課題】
【０００５】
本発明の目的は、セキュリティ性が高く、安価な認証用シール、認証システム、客室施設を提供することにある。
【課題を解決するための手段】
【０００６】
本発明は、以下のものを提供する。
【０００７】
（１）  認証用部材の表面に設けられる認証用シールであって、
樹脂層と、
前記樹脂層の表面を覆う被覆層と、を備え、
前記樹脂層は、前記樹脂層の表面から光学的に視認することができる視認可能状態の認証用模様を有すると共に、裏面に前記認証用部材の表面に貼付可能な粘着性を有し、
前記被覆層は、前記被覆層の表面から前記被覆層を介して前記認証用模様を光学的に視認することができる透過性材料で形成され、
前記認証用模様は、前記樹脂層の自己形成化によって形成されたものである、認証用シール。
【０００８】
（２）  前記樹脂層は、主成分として樹脂を含む樹脂部分と微粒子からなる粒子部分とを含み、
前記認証用模様は、前記樹脂層の前記表面に形成された複数の認証用溝で構成されている、（１）に記載の認証用シール。
【０００９】
（３）  前記樹脂層の表面から見た場合において、前記複数の認証用溝のうち、９５％以上の数の認証用溝が互いに異なる形状を有し、
前記樹脂層の前記表面上の任意の一辺１ｍｍの正方形で囲まれた領域内に、前記複数の認証用溝のうち１つ以上の認証用溝の一部が存在する、（２）に記載の認証用シール。
【００１０】
（４）  前記樹脂層は、前記樹脂層が前記認証用部材の表面に貼られた貼付状態から前記樹脂層を前記認証用部材の表面から剥がした剥離状態にすると、前記認証用模様を表面から光学的に視認できない視認不可能状態に変形する、（１）から（３）のいずれかに記載の認証用シール。
【００１１】
（５）  （１）から（４）のいずれかに記載の認証用シールを用いた認証用アイテムであって、
前記認証用シールが前記認証用部材に貼付された、認証用アイテム。
【００１２】
（６）  前記認証用部材は、使い捨て用の部材、又は、利用者の所有物である、（５）に記載された認証用アイテム。
【００１３】
（７）  （５）又は（６）に記載の認証用アイテムを用いた認証システムであって、
利用者が前記認証用アイテムを利用できるように、前記利用者に利用させる認証用シールの認証用模様データと、前記利用者のデータとを入力する利用者情報入力手段と、
前記認証用模様データとこれに対応する前記利用者のデータとを関連付けた利用者認証情報を、すでに記憶された複数の利用者認証情報と峻別可能に追加記憶する記憶手段と、
利用者が提示した認証用アイテムの認証用シールの認証用模様を光学的に撮影し、撮影された認証用模様を認証用模様データとして認識する１以上の利用者提示模様認識手段と、
前記利用者提示模様認識手段によって認識された認証用模様データに基づいて、前記複数の利用者認証情報から特定利用者認証情報を抽出する認証情報抽出手段と、
前記特定利用者認証情報を出力する認証情報出力手段と、を備えた、認証システム。
【００１４】
（８）  前記利用者情報入力手段は、未利用の認証用アイテムの認証用シールの認証用模様を光学的に撮影し、撮影された認証用模様を前記認証用模様データとして認識する、（７）に記載の認証システム。
【００１５】
（９）  前記利用者提示模様認識手段は、前記利用者提示模様認識手段が前記樹脂層の表面のうち予め設定した所定位置及び所定の大きさの認識領域を撮影できるように、前記認証用アイテムを所定の位置に合わせる位置合わせガイド機能を有する、（７）又は（８）に記載の認証システム。
【００１６】
（１０）  前記認証情報抽出手段は、前記複数の利用者認証情報の認証用模様データのうち、前記利用者提示模様認識手段によって認識された認証用模様データに所定の一致度である認証用模様データを抽出する、（７）から（９）のいずれかに記載の認証システム。
【００１７】
（１１）  前記利用者情報入力手段は、利用できなくする特定の認証用アイテムに対応する特定の利用者のデータを入力し、
当該認証システムは、前記利用者情報入力手段により入力された特定の利用者のデータに関連付けられた認証用模様データを前記記憶手段から削除したり利用不可にしたりする情報処理手段を備える、（７）から（１０）のいずれかに記載の認証システム。
【００１８】
（１２）  前記利用者情報入力手段は、利用できなくする特定の認証用アイテムに対応する特定の認証用模様データを入力し、
当該認証システムは、入力された特定の認証用模様データに関連付けられた特定の利用者のデータを前記特定の認証用模様データと共に前記記憶手段から削除したり利用不可にしたりする模様データ処理手段を備える、（７）から（１１）のいずれかに記載の認証システム。
【００１９】
（１３）  （７）から（１２）のいずれかに記載の認証システムを用いた、複数の客室を有する客室施設。
【発明の効果】
【００２０】
本発明の認証用シールによれば、樹脂層は、樹脂層の表面から光学的に視認することができる視認可能状態の認証用模様を有すると共に、裏面に認証用部材の表面に貼付可能な粘着性を有し、被覆層は、被覆層の表面から被覆層を介して認証用模様を光学的に視認することができる透過性材料で形成され、認証用模様は、樹脂層の自己形成化によって形成されたものであるので、樹脂層由来の、複製困難なかつユニークな模様であり、セキュリティ性が高く、安価な認証用シール、認証システム、客室施設を提供することができる。
【図面の簡単な説明】
【００２１】
【図１】本発明に係る認証用シール及び認証用アイテムの正面図である。
【図２】図１に示した認証用アイテムの平面図である。
【図３】図１に示した認証用シールの樹脂層の認証用模様の模式拡大図である。
【図４】図１に示した認証用アイテムを用いた認証システムの概略図である。
【図５】図４に示した客室施設の認証システムのブロック線図である。
【図６】図５に示した認証システムのチェックインの動作を示すフローチャートである。
【図７】図５に示した認証システムの客室の開錠の動作を示すフローチャートである。
【図８】図５に示した認証システムの認証用アイテムの紛失処理の動作を示すフローチャートである。
【図９】本発明に係る別の認証用シール及び認証用アイテムの正面図であり、（ａ）は、認証用シールを認証用部材の全面に貼付し認証用模様として利用する箇所を特定している認証用アイテムであり、（ｂ）は、認証用シールを認証用部材に貼付する前の状態である。
【図１０】本発明に係るさらに別の認証用シール及び認証用アイテムの正面図である。
【図１１】図１０に示したさらに別の認証用シールを利用者の所有物に貼付した状態を示す斜視図である。
【図１２】図１０に示したさらに別の認証用シールを利用者の別の所有物に貼付した状態図である。
【発明を実施するための形態】
【００２２】
図１から図４を参照して、本発明に係る認証用シール１０、認証用アイテム１００ａ及び客室施設Ｈの説明をする。
本実施の形態では、客室施設Ｈが、客室の入室管理に採用されている認証システム１０００を備え、認証用アイテム１００ａを、ホテルの利用者が客室扉の鍵を開け閉めする際に用いるカードとして説明する。
【００２３】
図１及び図２に示すように、認証用アイテム１００ａは、認証用部材５０と認証用部材５０の表面５０ａに設けられた認証用シール１０とを有する。
【００２４】
（認証用シール）
図１に示すように、認証用シール１０は、認証用部材５０の表面に設けられるシールである。
認証用シール１０は、樹脂層１４と、樹脂層１４の表面１４ａを覆う被覆層１２と、を備える。
【００２５】
（樹脂層）
樹脂層１４は、樹脂層１４の表面１４ａから光学的に視認することができる視認可能状態の認証用模様（図３参照）を有する。また、認証用シール１０は、樹脂層１４の裏面１４ｂに認証用部材５０の表面５０ａに貼付可能な粘着性を有する。
樹脂層１４は、樹脂層１４が認証用部材５０の表面５０ａに貼られた貼付状態から樹脂層１４を認証用部材５０の表面５０ａから剥がした剥離状態にすると、認証用模様を表面１４ａから光学的に視認できない視認不可能状態に変形する粘着性を有することが好ましい。
【００２６】
図３に示すように、樹脂層１４において、裏面１４ｂ上に、最大０．５μｍ以上の高低差を有する複数の凹部１５が存在し、存在する複数の凹部１５の９５％以上がそれぞれ互いに異なる形状を有していることが好ましい。つまり、凹部１５は、裏面１４ｂに開口していてもよい。ただし、表面１２ａから樹脂層１４の認証用模様を光学的に視認することができればよいため、樹脂層１４が透光性を有していれば、表面１４ａ側に開口していてもよい。認証用模様の複製困難かつユニーク性を高める観点から、樹脂層１４の両側が開口していることが好ましい。
裏面１４ｂ上の任意に選択された一辺１ｍｍの正方形で囲まれた領域１６内に、凹部１５が１つ以上存在することが好ましい。
【００２７】
また、複数の凹部１５が、裏面１４ｂ上に不規則に存在することが好ましい。
領域１６内に存在する凹部１５の１つ以上が、領域１６を規定するいずれかの辺まで延びていることが好ましい。
【００２８】
樹脂層１４は、主成分（例えば、５０％以上、好ましくは６０％以上、さらに好ましくは７０％以上）として樹脂を含む樹脂部分（Ｘ）と、微粒子からなる粒子部分（Ｙ）とを含むことが好ましい。
樹脂層１４の厚さは、好ましくは１〜３００μｍ、より好ましくは５〜１５０μｍ、さらに好ましくは１０〜７５μｍである。
樹脂層１４の粘着力としては、好ましくは０．５Ｎ／２５ｍｍ以上、より好ましくは２．０Ｎ／２５ｍｍ以上、さらに好ましくは３．０Ｎ／２５ｍｍ以上、よりさらに好ましくは４．０Ｎ／２５ｍｍ以上、よりさらに好ましくは７．０Ｎ／２５ｍｍ以上である。
樹脂層１４の粘着力は、ＪＩＳ  Ｚ０２３７：２０００に基づき、測定された値を意味する。
【００２９】
＜樹脂部分（Ｘ）＞
樹脂層１４を構成する樹脂部分（Ｘ）は、主成分として樹脂を含む。
なお、本発明において、樹脂部分（Ｘ）は、樹脂層中に含まれる微粒子以外の成分を含む部分であって、その点で粒子部分（Ｙ）とは区別される。
樹脂部分（Ｘ）は、樹脂を主成分とし、樹脂以外にも、架橋剤や汎用添加剤が含まれていてもよい。
樹脂部分（Ｘ）中の樹脂の含有量は、樹脂部分（Ｘ）の全量（１００質量％）に対して、通常４０質量％以上、好ましくは５０質量％以上、より好ましくは６５質量％以上、より好ましくは７５質量％以上、さらに好ましくは８５質量％以上、よりさらに好ましくは９０質量％以上であり、また、好ましくは１００質量％以下、より好ましくは９９．９質量％以下である。
樹脂部分（Ｘ）に含まれる前記樹脂としては、粘着性樹脂を含むことが好ましい。
当該粘着性樹脂としては、例えば、アクリル系樹脂、ウレタン系樹脂、ゴム系樹脂、シリコーン系樹脂等が挙げられる。
これらの粘着性樹脂の中でも、樹脂層１４の自己形成化によって形成される不定形の認識用模様を形成しやすくする観点から、アクリル系樹脂を含むことが好ましい。
アクリル系樹脂の質量平均分子量（Ｍｗ）としては、好ましくは５万〜１５０万、より好ましくは１５万〜１３０万、さらに好ましくは２５万〜１１０万、よりさらに好ましくは３５万〜９０万である。
【００３０】
また、樹脂部分（Ｘ）が、前記官能基を有するアクリル系樹脂と共に、さらに架橋剤を含有することが好ましい。
当該官能基は、架橋剤との架橋起点となる基であって、例えば、ヒドロキシ基、カルボキシ基、エポキシ基、アミノ基、シアノ基、ケト基、アルコキシシリル基等が挙げられるが、カルボキシ基が好ましい。
【００３１】
架橋剤の含有量は、官能基を有するアクリル系樹脂１００質量部に対して、好ましくは０．０１〜１５質量部、より好ましくは０．１〜１０質量部、さらに好ましくは０．３〜７．０質量部である。
【００３２】
また、樹脂部分（Ｘ）は、汎用添加剤を含有していてもよい。
汎用添加剤としては、例えば、粘着付与剤、酸化防止剤、軟化剤（可塑剤）、防錆剤、顔料、染料、遅延剤、反応促進剤、紫外線吸収剤等が挙げられる。
【００３３】
＜粒子部分（Ｙ）＞
樹脂層を構成する粒子部分（Ｙ）は微粒子からなる。
微粒子の平均粒子径としては、好ましくは０．０１〜１００μｍ、より好ましくは０．０５〜２５μｍ、さらに好ましくは０．１〜１０μｍである。
本発明の一態様で用いる微粒子としては、特に制限はなく、シリカ粒子、酸化金属粒子、硫酸バリウム、炭酸カルシウム、炭酸マグネシウム、ガラスビーズ、スメクタイト等の無機粒子や、アクリルビーズ等の有機粒子等が挙げられる。
これらの微粒子の中でも、樹脂層１４の自己形成化によって形成される不定形の認識用模様を形成しやすくする観点から、シリカ粒子、酸化金属粒子、及びスメクタイトから選ばれる１種以上が好ましく、シリカ粒子がより好ましい。
本発明の一態様で用いるシリカ粒子は、乾式シリカ及び湿式シリカのいずれであってもよい。
本発明の一態様で用いるシリカ粒子の体積平均二次粒子径は、樹脂層１４の自己形成化によって形成される不定形の認識用模様を形成しやすくする観点から、好ましくは０．５〜１０μｍ、より好ましくは１〜８μｍ、さらに好ましくは１．５〜５μｍである。
なお、本発明において、シリカ粒子の体積平均二次粒子径の値は、マルチサイザー・スリー機等を用いて、コールターカウンター法による粒度分布の測定を行うことにより求めた値である。
【００３４】
〔樹脂層の形成方法〕
樹脂層の製造方法としては、特に制限はないが、樹脂層の自己形成化によって形成される不定形の認識用模様を形成しやすくする観点から、少なくとも下記工程（１）及び（２）を有する方法が好ましい。
工程（１）：主成分として樹脂を含む組成物（ｘ）からなる塗膜（ｘ’）、及び前記微粒子を１５質量％以上含む組成物（ｙ）からなる塗膜（ｙ’）を形成する工程
工程（２）：工程（１）で形成した塗膜（ｘ’）及び塗膜（ｙ’）を同時に乾燥させる工程
【００３５】
＜工程（１）＞
工程（１）は、主成分として樹脂を含む組成物（ｘ）からなる塗膜（ｘ’）、及び前記微粒子を１５質量％以上含む組成物（ｙ）からなる塗膜（ｙ’）を形成する工程である。
組成物（ｘ）は、樹脂部分（Ｘ）の形成材料であり、上述の樹脂と共に、架橋剤を含有することが好ましく、さらに上述の汎用添加剤を含有してもよい。
また、組成物（ｙ）は、粒子部分（Ｙ）の形成材料であるが、さらに樹脂や架橋剤、上述の汎用添加剤が含まれていてもよい。これらの樹脂等の成分が含まれている組成物（ｙ）は、樹脂部分（Ｘ）の形成材料ともなる。
【００３６】
（組成物（ｘ））
組成物（ｘ）中に含有する樹脂としては、上述の樹脂部分（Ｘ）を構成する樹脂が挙げられ、粘着性樹脂が好ましく、樹脂層１４の自己形成化によって形成される不定形の認識用模様を形成しやすくする観点から、上述の官能基を有するアクリル系樹脂がより好ましい。
組成物（ｘ）中の樹脂の含有量は、組成物（ｘ）の全量（１００質量％（ただし、希釈溶媒を除く））に対して、通常４０質量％以上、好ましくは５０質量％以上、より好ましくは６５質量％以上、より好ましくは７５質量％以上、さらに好ましくは８５質量％以上、よりさらに好ましくは９０質量％以上であり、また、好ましくは１００質量％以下、より好ましくは９５質量％以下である。
【００３７】
架橋剤の含有量は、組成物（ｘ）中に含有する樹脂１００質量部に対して、好ましくは０．０１〜１５質量部、より好ましくは０．１〜１０質量部、さらに好ましくは０．３〜７．０質量部である。
【００３８】
組成物（ｘ）中には、上述の微粒子を含有していてもよいが、当該微粒子の含有量は１５質量％未満であり、かつ組成物（ｘ）中に含まれる樹脂の含有量よりも少ない。
具体的な微粒子の含有量としては、組成物（ｘ）の全量（１００質量％（ただし、希釈溶媒を除く））に対して、１５質量％未満であるが、好ましくは０〜１３質量％、より好ましくは０〜１０質量％、さらに好ましくは０〜５質量％、よりさらに好ましくは０質量％である。
【００３９】
（組成物（ｙ））
組成物（ｙ）は、粒子部分（Ｙ）の形成材料であり、少なくとも上述の微粒子を１５質量％以上含むが、微粒子の分散性の観点から、微粒子と共に、樹脂を含有することが好ましく、さらに当該樹脂と共に架橋剤を含有することがより好ましい。また、組成物（ｙ）は、汎用添加剤を含んでもよい。
なお、これらの樹脂、架橋剤、及び汎用添加剤は、樹脂部分（Ｘ）の形成材料となる。
【００４０】
組成物（ｙ）中に含まれる微粒子としては、上述のものが挙げられるが、樹脂層１４の自己形成化によって形成される不定形の認識用模様を形成しやすくする観点から、シリカ粒子、酸化金属粒子、及びスメクタイトから選ばれる１種以上が好ましい。
組成物（ｙ）中の微粒子の含有量は、組成物（ｙ）の全量（１００質量％（ただし、希釈溶媒を除く））に対して、１５質量％以上であるが、好ましくは２０〜１００質量％、より好ましくは２５〜９０質量％、さらに好ましくは３０〜８５質量％、よりさらに好ましくは３５〜８０質量％である。
【００４１】
組成物（ｙ）中に含まれる樹脂としては、上述の組成物（ｘ）に含まれる樹脂と同じものが挙げられ、組成物（ｘ）と同じ樹脂を含むことが好ましい。なお、これらの樹脂は、単独で又は２種以上を組み合わせて用いてもよい。
また、組成物（ｙ）中に含まれるより具体的な樹脂としては、上述の官能基を有するアクリル系樹脂が好ましい。
【００４２】
組成物（ｙ）中の樹脂の含有量は、組成物（ｙ）の全量（１００質量％（ただし、希釈溶媒を除く））に対して、通常１〜８５質量％、好ましくは５〜８０質量％、より好ましくは１０〜７５質量％、さらに好ましくは２０〜７０質量％、よりさらに好ましくは２５〜６５質量％である。
【００４３】
また、組成物（ｙ）中に含有する架橋剤の含有量は、組成物（ｙ）中に含有する樹脂１００質量部に対して、好ましくは０．０１〜１５質量部、より好ましくは０．１〜１０質量部、さらに好ましくは０．３〜７．０質量部である。
【００４４】
（塗膜（ｘ’）、（ｙ’）の形成方法）
なお、塗膜を形成する際に、塗膜を形成しやすくするため、組成物（ｘ）及び（ｙ）に、溶媒を配合し、組成物の溶液の形態とすることが好ましい。
このような溶媒としては、水や有機溶媒等が挙げられる。
当該有機溶媒としては、例えば、トルエン、酢酸エチル、酢酸ブチル、メチルエチルケトン、メチルイソブチルケトン、メタノール、エタノール、イソプロピルアルコール、ｔ−ブタノール、ｓ−ブタノール、アセチルアセトン、シクロヘキサノン、ｎ−ヘキサン、シクロヘキサン等が挙げられる。なお、これらの溶媒は、単独で又は２種以上を併用してもよい。
【００４５】
本工程で形成される塗膜（ｘ’）及び（ｙ’）の積層する順序は特に限定されないが、塗膜（ｙ’）上に塗膜（ｘ’）が積層するように形成されることが好ましい。
塗膜（ｘ’）及び（ｙ’）の形成方法としては、塗膜（ｙ’）を形成した後、塗膜（ｙ’）上に、塗膜（ｘ’）を逐次形成する方法でもよく、また、生産性の観点から、塗膜（ｙ’）及び塗膜（ｘ’）を多層コーターで同時塗布し形成する方法でもよい。
逐次形成する際に用いるコーターとしては、例えば、スピンコーター、スプレーコーター、バーコーター、ナイフコーター、ロールコーター、ナイフロールコーター、ブレードコーター、グラビアコーター、カーテンコーター、ダイコーター等が挙げられる。
多層コーターで同時塗布する際に用いるコーターとしては、例えば、カーテンコーター、ダイコーター等が挙げられるが、これらの中でも、操作性の観点から、ダイコーターが好ましい。
【００４６】
なお、本工程（１）において、塗膜（ｘ’）及び塗膜（ｙ’）の少なくとも一方の形成後に、工程（２）に移る前に、当該塗膜の硬化反応が進行しない程度のプレ乾燥処理を施してもよい。
本工程（１）における、当該プレ乾燥処理を行う際の乾燥温度としては、通常は、形成した塗膜の硬化が進行しない程度の温度範囲に適宜設定されるが、好ましくは工程（２）での乾燥温度未満である。「工程（２）での乾燥温度未満」との規定が示す具体的な乾燥温度としては、好ましくは１０〜４５℃、より好ましくは１０〜３４℃、さらに好ましくは１５〜３０℃である。
【００４７】
＜工程（２）＞
工程（２）は、工程（１）で形成した塗膜（ｘ’）及び塗膜（ｙ’）を同時に乾燥させる工程である。
本工程にて、形成した塗膜（ｘ’）及び塗膜（ｙ’）を同時に乾燥させることで、樹脂部分（Ｘ）と粒子部分（Ｙ）とを含む樹脂層が形成されると共に、当該樹脂層の表面（α）には、複数の凹部が形成される。
【００４８】
本工程における乾燥温度としては、樹脂層の表面（α）に、樹脂層の自己形成化によって形成される不定形の認識用模様を形成しやすくする観点から、好ましくは３５〜２００℃、より好ましくは６０〜１８０℃、さらに好ましくは７０〜１６０℃、よりさらに好ましくは８０〜１４０℃である。
なお、当該乾燥温度が低いほど、形成される認識用模様の高低差が大きくなるが、形成される認識用模様の数が減少する傾向がある。
【００４９】
（認証用模様）
図３に示すように、認証用模様は、樹脂層１４の自己形成化によって形成されたものであり、樹脂層１４由来の、複製困難なかつユニークな模様である。
本発明において、「自己形成化」とは、樹脂層１４の自律的な形成過程において、自然に無秩序な形状を作り出す現象を意味し、より詳しくは、樹脂層１４の形成材料である組成物から形成された塗膜を乾燥して、樹脂層１４の自律的な形成過程において、自然に無秩序な形状を作り出す現象を意味する。
なお、このように樹脂層１４の自己形成化によって形成された認識用模様は、乾燥条件や樹脂層１４の形成材料である組成物中の成分の種類や含有量を調整することで、ある程度の調整は可能ではあるものの、エンボスパターンの転写により形成される模様とは異なり、「全く同じ形状のものを再現することは事実上できない」といえる。
【００５０】
また、認識用模様は、不定形であることが好ましい。
本発明において「不定形」とは、平面視又は立体視した際に、円や直線のみで囲まれた形（三角形、四角形等）の特定の形を有さず、形に規則性が無く、個々の凹部の形状に類似性が見られない形状を意味する。
認識用模様は、所定のパターンを有するものではないことが好ましい。ここで、「所定パターン」とは、１つの凹部の形状に着目した際に、当該凹部が有する一定の繰り返し単位となる形状のことを意味する。
【００５１】
認識用模様は、樹脂層の表面に複数存在し、複数の認識用模様の９５％以上（より好ましくは９８％以上、さらに好ましくは１００％）がそれぞれ互いに異なる形状を有していることが好ましい。
ここで、「互いに異なる形状を有する凹部の個数が１００％」とは、「樹脂層の表面に存在する複数の認識用模様のすべてが互いに異なる形状を有している」ことを意味する。
【００５２】
認識用模様は、樹脂層の表面に複数存在し、複数の認識用模様の存在する位置が周期性を有さないことが好ましい。
本発明において、「複数の認識用模様の存在する位置が周期性を有さない」とは、複数の認識用模様が同じ繰り返しパターンを持たずにランダムに存在している状態を意味する。つまり、エンボスパターンを有する剥離材を樹脂層の表面に押し付ける等のエンボスパターンの転写により形成された溝のように、一定の規則性に基づいて「配置」された状態とは異なることを意味する。
【００５３】
（被覆層）
被覆層１２は、被覆層１２の表面１２ａから被覆層１２を介して樹脂層１４の認証用模様を光学的に視認することができる透過性材料で形成されている。
【００５４】
（認証用アイテム）
図１及び図２に示すように、認証用アイテム１００ａは、認証用シール１０と認証用部材５０とを備え、認証用シール１０が認証用部材５０に貼付されたアイテムである。認証用アイテム１００ａは、認証用キーとして利用される。
認証用部材５０は、例えば、プラスチック素材で形成したカードであり、その表面５０ａには、予めホテル名が印刷されている印刷領域６０と、利用者の氏名が印刷される印刷領域７０とを有する。
認証用部材５０の製造の際に印刷領域６０にホテル名が印刷される。他方、印刷領域７０には、ホテルの利用者に渡す際に、後述する認証用シール１０の貼付と同時期に、利用者の氏名が印刷される。
なお、本実施の形態では、認証用部材は、ホテルが用意し、返却を前提とした利用者に貸与するものであるが、後述するように、返却を前提としない使い捨て用の部材、又は、利用者の所有物であってもよい。
【００５５】
（認証システム）
図４及び図５に示すように、認証システム１０００は、利用者の宿泊情報等の登録、抹消を行うフロントＦと、利用者が利用する複数の客室Ｒとを備える客室施設Ｈに用いられる。
フロントＦは、ホテルマンｍ１が利用者ｍ２の宿泊情報等の登録、抹消を行う小型端末５００を備えている。
【００５６】
（小型端末）
小型端末５００は、キーボードやモニターのような入出力装置５１０と、認証用アイテム１００ａに貼られた認証用シール１０の認証用模様を光学的に読み取るリーダー５２０とを備える。小型端末５００は、客室施設Ｈ内のネットワークＮを介してサーバー６００に接続している。
入出力装置５１０は、利用者ｍ２が認証用アイテム１００ａを利用できるように、利用者ｍ２に利用させる認証用シール１０の認証用模様データと、利用者ｍ２の宿泊情報等のデータとを入力する装置である。このため、小型端末５００は、利用者情報入力手段５０１として機能する。
利用者情報入力手段５０１は、利用者ｍ２が認証用アイテム１００ａを利用できるように、リーダー５２０によって読み取られた、利用者ｍ２に利用させる認証用シール１０の認証用模様データと、入出力装置５１０によって入力された利用者ｍ２の宿泊情報等のデータとを入力する機能を有する。
また、利用者情報入力手段５０１は、未利用の認証用アイテム１００ａの認証用シール１０の認証用模様をリーダー５２０によって光学的に撮影し、撮影された認証用模様を前記認証用模様データとして認識する機能を有する。
また、利用者情報入力手段５０１は、利用できなくする特定の認証用アイテム１００ａに対応する特定の利用者のデータを入出力装置５１０によって入力する機能や、利用できなくする特定の認証用アイテム１００ａに対応する特定の認証用模様データをリーダー５２０によって入力する機能を有する。
【００５７】
（客室）
各客室Ｒは、扉７００と、扉７００の施錠及び解錠を行う施錠装置８００とを備える。
【００５８】
（施錠装置）
施錠装置８００は、施錠状態等を表示するモニター８１０と認証用シール１０の認証用模様を光学的に読み取るリーダー８２０とを備える。このため、施錠装置８００は、利用者提示模様認識手段８０１、及び、認証情報出力手段８０２として機能する。
利用者提示模様認識手段８０１は、利用者ｍ２が提示した認証用アイテム１００ａの認証用シール１０の認証用模様をリーダー８２０が光学的に撮影し、撮影された認証用模様を認証用模様データとして認識する機能を有する。
リーダー８２０は、リーダー８２０が樹脂層１４の表面のうち予め設定した所定位置及び所定の大きさの認識領域を撮影できるように、認証用アイテム１００ａを所定の位置に合わせる位置合わせガイド機能を有する。位置合わせガイド機能としては、認証用アイテム１００ａの側面を接触させる位置合わせガイド８３０（図４参照）や、目印である。
認証情報出力手段８０２は、後述する特定利用者認証情報をモニター８１０に出力する。
施錠装置８００は、客室施設Ｈ内のネットワークＮを介してサーバー６００に接続している。施錠装置８００は、扉７００の近傍の壁に設けられていてもよいし、扉７００に設けられていてもよい。
【００５９】
（サーバー）
サーバー６００は、公知の大型コンピュータであり、様々なデータを記憶するＨＤＤのような記憶領域と、記憶領域へのアクセスや、データの抽出を行うＣＰＵと、ネットワークＮを介して小型端末５００や施錠装置８００に接続する出力ポート等を有する。
サーバー６００は、記憶領域やＣＰＵと協働により、記憶手段６０１、認証情報抽出手段６０２、情報処理手段６０３、及び、模様データ処理手段６０４として機能する。
記憶手段６０１は、認証用模様データとこれに対応する利用者のデータとを関連付けた利用者認証情報を、すでに記憶された複数の利用者認証情報と峻別可能に追加記憶する機能である。
認証情報抽出手段６０２は、利用者提示模様認識手段８０１によって認識された認証用模様データに基づいて、複数の利用者認証情報から特定利用者認証情報を抽出する機能を有する。
認証情報抽出手段６０２は、複数の利用者認証情報の認証用模様データのうち、利用者提示模様認識手段８０１によって認識された認証用模様データに所定の一致度である認証用模様データを抽出する機能を有する。認証用アイテム１００ａの表面、即ち、認証用シール１０の被覆層１２の表面は、利用者ｍ２が所持することによって汚れる恐れがある。そこで、認証情報抽出手段６０２は、認証用模様データの抽出を完全一致ではなく、所定の一致度で該当する認証用模様データとする。
情報処理手段６０３は、利用者情報入力手段５０１により入力された特定の利用者のデータに関連付けられた認証用模様データを特定の利用者のデータと共に記憶手段６０１から削除したり利用不可にしたりする機能を有する。
模様データ処理手段６０４は、入力された特定の認証用模様データに関連付けられた特定の利用者のデータを特定の認証用模様データと共に記憶手段６０１から削除したり利用不可にしたりする機能を有する。
【００６０】
図６から図８を参照して、認証システム１０００の作動を説明する。
【００６１】
（チェックイン、図６参照）
まず、ホテルマンｍ１は、入出力装置５１０を用いて、利用者ｍ２の宿泊情報等のデータを小型端末５００に入力する（宿泊情報等の入力工程、ステップＳＴ０１）。
【００６２】
次に、ホテルマンｍ１は、認証用シール１０を認証用部材５０に貼り、認証用アイテム１００ａを新規に作成する（認証用アイテムの作成工程、ステップＳＴ０３）。このとき、認証用シール１０の認証用模様は樹脂層１４の自己形成化によって形成されたものであるので、他の認証用模様と区別することができ、認証用ＩＤとして利用することができる。
なお、利用者ｍ２の氏名等を、認証用アイテム１００ａの印刷領域７０に印字してもよい。
【００６３】
次に、ホテルマンｍ１は、利用者ｍ２が認証用アイテム１００ａを利用できるように、認証用アイテム１００ａの認証用シール１０をリーダー５２０にかざして、利用者ｍ２に利用させる認証用シール１０の認証用模様データを小型端末５００に取得させる（認証用データの取得工程、ステップＳＴ０５）。具体的には、小型端末５００は、未利用の認証用アイテム１００ａの認証用シール１０の認証用模様を光学的にリーダー５２０に撮影させ、撮影された認証用模様を認証用模様データとして認識する。
【００６４】
次に、ホテルマンｍ１は、利用者ｍ２の宿泊情報等のデータと認証用模様データとをサーバー６００に登録させる登録作業を行う（利用者認証情報の登録工程、ステップＳＴ０７）。これにより、サーバー６００は、認証用模様データとこれに対応する利用者ｍ２の宿泊情報等のデータとを関連付けた利用者認証情報を、すでに記憶された複数の利用者認証情報と峻別可能に追加記憶する。
そして、ホテルマンｍ１は、利用者ｍ２に、客室Ｒの部屋番号を告げると共に、認証用アイテム１００ａを貸与する。
これにより、利用者ｍ２のチェックインが完了する。
【００６５】
（客室の解錠、図７参照）
先ず、利用者ｍ２は、告げられた部屋番号の客室Ｒに行き、貸与された認証用アイテム１００ａを施錠装置８００のリーダー８２０にかざす。これにより、施錠装置８００は、利用者ｍ２が提示した認証用アイテム１００ａの認証用シール１０の認証用模様をリーダー８２０によって光学的に撮影され、撮影された認証用模様を認証用模様データとして認識し、サーバー６００に送る（認証用模様の認識工程、ステップＳＴ１１）。
【００６６】
次に、サーバー６００は、リーダー８２０によって認識された認証用模様データに基づいて、複数の利用者認証情報から、特定利用者認証情報を抽出して、抽出された特定利用者認証情報を施錠装置８００に送る（認証情報の抽出工程、ステップＳＴ１３）。このとき、サーバー６００は、複数の利用者認証情報の認証用模様データのうち、リーダー８２０によって認識された認証用模様データに所定の一致度である認証用模様データを抽出する。
【００６７】
そして、施錠装置８００は、特定利用者認証情報の部屋番号と、客室Ｒの部屋番号とが一致しているかを判断し（判断工程、ステップＳＴ１５）、一致している場合には、解錠可能な旨の情報と共に、特定利用者認証情報をモニター８１０に出力し（認証情報の表示工程、ステップＳＴ１７）、扉７００の解錠を行う。このようにして、認証用アイテム１００ａは、認証用キーとして利用することができる。
【００６８】
また、施錠装置８００は、特定利用者認証情報の部屋番号と、客室Ｒの部屋番号とが一致していない場合には、解錠不可能な旨の情報をモニター８１０に出力する（解除不可の表示工程、ステップＳＴ１９）。
【００６９】
（チェックアウト）
先ず、利用者ｍ２がチェックアウトする旨をホテルマンｍ１に連絡する。
ホテルマンｍ１は、入力された特定の認証用模様データに関連付けられた特定の利用者の宿泊情報等のデータを特定の認証用模様データと共にサーバー６００から削除したり利用不可にしたりする。これにより、認証用アイテム１００ａの認証用シール１０の認証用模様データが、サーバー６００から削除されたり利用不可にされたりしているので、利用者ｍ２はチェックインの際に譲渡された認証用アイテムを認証用キーとして利用することはできない。
【００７０】
（認証用アイテムの紛失処理）
先ず、ホテルマンｍ１は、利用者ｍ２の宿泊情報等のデータを小型端末５００の入出力装置５１０に入力する（利用停止対象利用者の特定工程、ステップＳＴ２１）。これにより、小型端末５００には、貸与していた認証用アイテム（利用できなくする特定の認証用アイテム）１００ａに対応する特定の利用者の宿泊情報等のデータが入力される。小型端末５００は、入力された特定の利用者の宿泊情報等のデータを、サーバー６００に送る。
【００７１】
サーバー６００は、小型端末５００により入力された特定の利用者の宿泊情報等のデータに関連付けられた認証用模様データを特定の利用者の宿泊情報等のデータと共にサーバー６００から削除したり利用不可にしたりする（登録情報の処理工程、ステップＳＴ２３）。これにより、後に、紛失した認証用アイテムが見つかったとしても、認証用アイテム１００ａの認証用シール１０の認証用模様データが、サーバー６００から削除されたり利用不可にされたりしているので、紛失した認証用アイテムを認証用キーとして利用することはできない。
【００７２】
図９を参照して、別の認証用アイテム１００ｂの説明をする。
認証用アイテム１００ｂは、認証用部材５０の裏面に、認証用部材５０と同じ大きさの認証用シール１０が貼られている。認証用部材５０は、貼られた認証用シールの樹脂層１４が視認できるように、透過性材料で形成されている。つまり、樹脂層１４は、樹脂層１４の表面から光学的に視認することができる視認可能状態の認証用模様を有すると共に、裏面に認証用部材５０の表面に貼付可能な粘着性を有する。
【００７３】
図示の認証用アイテム１００ｂは、認証用シール１０を認証用部材５０の全面に貼付しているが、認証用模様として利用する箇所を領域８０として特定している。図示の例では、３つの領域８０があり、認証用キーとして利用する領域８０は、３つのうちホテルマンｍ１に指定された１つとすることができる。これにより、認証用キーのセキュリティが向上する。
また、認証用模様として利用する箇所を領域８０として特定しているので、利用者ｍ２は、認証用アイテム１００ｂをリーダー８２０にかざす位置を容易に把握することができる。
【００７４】
図１０から図１２を参照して、さらに別の認証用アイテム１００ｃの説明をする。
図１０に示すように、３つの認証用シール１０ａ、１０ｂ、１０ｃは、これらを剥がすことが容易となるように、台紙部材５１に形成されている。
ホテルマンｍ１は、チェックインの際に、台紙部材５１を利用者ｍ２に譲渡する。利用者は、譲渡された台紙部材５１から認証用シール１０ａを剥がし、例えば、図１１に示すように、利用者ｍ２が所有する携帯電話１３０の表面１３１に貼ったり、図１２に示すように、利用者ｍ２が所有する腕時計１１０に貼ったりする。貼られる携帯電話１３０や腕時計１１０は、認証用部材として機能し、貼られた認証用シール１０ａと携帯電話１３０や腕時計１１０とで認証用アイテム１００ｃを構成する。
腕時計１１０は利用者ｍ２の手１００に着けるものなので、腕時計１１０を紛失する恐れが低く、ひいては、認証用シール１０ａを紛失する恐れを低くすることができる。
【００７５】
また、認証用シール１０ａの樹脂層１４は、樹脂層１４が認証用部材の表面に貼られた貼付状態から樹脂層１４を認証用部材の表面から剥がした剥離状態にすると、認証用模様を表面から光学的に視認できない視認不可能状態に変形するので、認証用シール１０ａは再利用することができない。
【００７６】
以上の説明から明らかなように、認証用シール１０によれば、樹脂層１４は、樹脂層１４の表面１４ａから光学的に視認することができる視認可能状態の認証用模様を有すると共に、裏面１４ｂに認証用部材５０の表面５０ａに貼付可能な粘着性を有し、被覆層１２は、被覆層１２の表面から被覆層１２を介して認証用模様を光学的に視認することができる透過性材料で形成され、認証用模様は、前記樹脂層の自己形成化によって形成されたものであるので、セキュリティ性が高く、安価な認証用シール、認証システム、客室施設を提供することができる。
【符号の説明】
【００７７】
Ｈ  客室施設
Ｎ  ネットワーク
Ｒ  客室
ｍ２  利用者
１０、１０ａ、１０ｂ、１０ｃ  認証用シール
１２  被覆層
１４  樹脂層
１５  凹部
５０  認証用部材
５１  台紙部材
６０、７０  印刷領域
８０  領域（認証用模様として利用する箇所）
１００ａ、１００ｂ、１００ｃ  認証用アイテム
１１０  腕時計
１３０  携帯電話
５００  小型端末
５１０  入出力装置
５２０  リーダー
６００  サーバー
８００  施錠装置
８１０  モニター
８２０  リーダー
８３０  ガイド
１０００  認証システム
【図１】
2016186573.tif 000003
【図２】
2016186573.tif 000004
【図３】
2016186573.tif 000005
【図４】
2016186573.tif 000006
【図５】
2016186573.tif 000007
【図６】
2016186573.tif 000008
【図７】
2016186573.tif 000009
【図８】
2016186573.tif 000010
【図９】
2016186573.tif 000011
【図１０】
2016186573.tif 000012
【図１１】
2016186573.tif 000013
【図１２】
2016186573.tif 000014